(57)【要約】【課題】  軸柱が無い部分においても縦目地４を防水することができるとともに、目地仕上材の下地とすることもできる水切り構造１及び入隅用水切り構造２を提供することを目的とする。【解決手段】  水切り構造１は、矩形板状のサイディング材３１の裏面に枠材３２が固定されてなる外壁パネル３間の縦目地４から建物内部に水が侵入することを防ぐ水切り構造１において、一方の側端側に波打状の湾曲部１１が設けられた矩形平板状の板部材１０と、一端が板部材１０の屋内側面に固定されるとともに、他端が湾曲部１１から板部材１０の側端方向に突出する突出片１２と、を備え、相互に隣接する２枚の外壁パネル３のうち、一方の外壁パネル３の枠部材３２を湾曲部１１と突出片１２とで挟み込むことにより、板部材１０を縦目地４の屋内側に建物の梁５の屋外側を覆うように配置する。【選択図】図４
2010047998.tif 000002
【特許請求の範囲】
【請求項１】
矩形板状のサイディング材の裏面の周縁に枠材が固定されてなる外壁パネルが建物の梁の屋外側に並べて設置されることによって形成される縦目地から建物内部に水が侵入することを防ぐ水切り構造において、
一方の側端に屋外方向に湾曲する波打状の湾曲部が設けられた矩形平板状の板部材と、
一端側が該板部材の屋内側面に固定されるとともに、他端側が前記湾曲部から突出して当該他端側と前記湾曲部との間に間隙を形成する突出片と、を備え、
相互に隣接する２枚の外壁パネルのうち、一方の外壁パネルの枠材のうち前記サイディング材の側縁に設けられた縦枠材を前記湾曲部と前記突出片とで挟み込むことにより、前記板部材を前記縦目地の屋内側に前記建物の梁の屋外側を覆うように配置することを特徴とする水切り構造。
【請求項２】
矩形板状のサイディング材の裏面側の周縁に枠材が固定されてなる外壁パネルを直角に配置された梁の屋外側に直角に並べて配置した入隅部の縦目地から建物内部に水が侵入することを防ぐ入隅用水切り構造において、
一方の側端に屋外方向に湾曲する波打状の湾曲部が設けられると共に、中間部で直角に折曲された矩形の折曲板部材と、
一端側が該折曲板部材の屋内側面に固定されるとともに、他端側が前記湾曲部から突出して当該側と前記湾曲部との間に間隙を形成する突出片と、を備え、
前記入隅部の両側に配置された２枚の外壁パネルのうち、一方の外壁パネルの枠材のうち前記サイディング材の側縁に設けられた縦枠材を前記湾曲部と前記突出片とで挟み込むことにより、前記折曲板部材を前記入隅部に沿って前記入隅部の縦目地の屋内側に前記建物の梁の屋外側を覆うように配置することを特徴とする入隅用水切り構造。
【発明の詳細な説明】
【技術分野】
【０００１】
この発明は、建物外壁の縦目地に設置される水切り構造及び入隅用水切り構造に関し、特に、建物の胴差部などの梁が配置される部分の縦目地から風雨が侵入することを防止する水切り構造、及び入隅用水切り構造に関する。
【背景技術】
【０００２】
従来より、建物の外壁パネル間の水平目地や縦目地から風雨等が建物内部に侵入することを防ぐために、これらの目地には乾式または湿式の様々な防水構造が用いられている。このうち乾式の縦目地の防水構造としては、例えば図１０に示すように、外壁パネル１００間の縦目地１０１の背後に、樹脂又は金属からなる防水材１０３を備えたものが提案されている。この防水材１０３は、軸柱１０４に固定される硬質のベース部１０５と、このベース部１０５から外壁パネル１００方向に突出する軟質のシール片１０６と、を備えており、シール片１０６が外壁パネル１００の裏面部１０７に押圧され、潰れ状に変形して、同裏面部１０７に水密的に当接することにより、風雨等が縦目地１０１を通って建物内部に侵入することを防いでいる（例えば特許文献１）。そして、このような防水材１０３を設置した後の縦目地１０１にシーリング材やシールジョイント等の目地仕上材を嵌め込んで、外壁パネル１００間の縦目地１０１を仕上げている。
【特許文献１】特開２０００−１９６８号公報
【発明の開示】
【発明が解決しようとする課題】
【０００３】
しかし、上述のような防水材１０３は、建物の軸柱１０４に固定されるものであり、建物の階間の胴差部などの軸柱１０４が無い箇所には適用することができない。また、建物の胴差部には、シーリング材などの目地仕上材の下地がなく、目地仕上材を縦目地１０１に嵌め込んだ場合にも、十分な防水性を確保することが困難であった。特に建物の胴差部に配置される梁は、主にＨ形鋼で形成されており、Ｈ形鋼を構成する上下のフランジの間に空間を有するので、この空間に風雨が侵入する虞があった。
【０００４】
そこで、本発明は、軸柱が無い部分においても縦目地を防水することができるとともに、目地仕上材の下地とすることもできる水切り構造及び入隅用水切り構造を提供することを目的とする。
【課題を解決するための手段】
【０００５】
請求項１に記載の水切り構造は、矩形板状のサイディング材の裏面の周縁に枠材が固定されてなる外壁パネルが建物の梁の屋外側に並べて設置されることによって形成される縦目地から建物内部に水が侵入することを防ぐ水切り構造において、一方の側端に屋外方向に湾曲する波打状の湾曲部が設けられた矩形平板状の板部材と、一端側が該板部材の屋内側面に固定されるとともに、他端側が前記湾曲部から突出して当該他端側と前記湾曲部との間に間隙を形成する突出片と、を備え、相互に隣接する２枚の外壁パネルのうち、一方の外壁パネルの枠材のうち前記サイディング材の側縁に設けられた縦枠材を前記湾曲部と前記突出片とで挟み込むことにより、前記板部材を前記縦目地の屋内側に前記建物の梁の屋外側を覆うように配置することを特徴としている。
【０００６】
請求項２に記載の入隅用水切り構造は、矩形板状のサイディング材の裏面側の周縁に枠材が固定されてなる外壁パネルを直角に配置された梁の屋外側に直角に並べて配置した入隅部の縦目地から建物内部に水が侵入することを防ぐ入隅用水切り構造において、一方の側端に屋外方向に湾曲する波打状の湾曲部が設けられると共に、中間部で直角に折曲された矩形の折曲板部材と、一端側が該折曲板部材の屋内側面に固定されるとともに、他端側が前記湾曲部から突出して当該側と前記湾曲部との間に間隙を形成する突出片と、を備え、前記入隅部の両側に配置された２枚の外壁パネルのうち、一方の外壁パネルの枠材のうち前記サイディング材の側縁に設けられた縦枠材を前記湾曲部と前記突出片とで挟み込むことにより、前記折曲板部材を前記入隅部に沿って前記入隅部の縦目地の屋内側に前記建物の梁の屋外側を覆うように配置することを特徴としている。
【発明の効果】
【０００７】
請求項１に記載の水切り構造によると、相互に隣接する２枚の外壁パネルのうち、一方の外壁パネルの枠部材の縦枠材を湾曲部と突出片とで挟み込むことにより、板部材を縦目地の屋内側に前記建物の梁の屋外側を覆うように配置するので、縦目地の屋内側に軸柱が無い部分においても極めて簡単に施工することができる。また、梁の屋外側を板部材で覆うことにより、縦目地から侵入した風雨が梁を構成するフランジ間の空間に入り込むことを防ぐことができる。
【０００８】
特に、板部材の側端に設けられる湾曲部と、板部材の側端方向に突出する突出片とにより縦枠材を挟み込む構成であるので、外壁パネルの側方から施工することができ、外壁パネルの上下方向の中間に梁が設けられている場合や既に上部の外壁が設置されている場合のように、外壁パネルの上方から施工することができないような場合にもこの水切り構造を適用することができる。
【０００９】
また、このように軸柱が無い部分においても縦目地の屋内側に板部材が設置されるので、例えば縦目地にシーリング剤を注入するような場合にもその下地材として用いることができ、簡単にシーリング剤を施工することができる。
【００１０】
請求項２に記載の入隅用水切り構造によると、中間部で直角に折曲された折曲板部材を入隅部に沿って、この入隅部の縦目地の屋内側に建物の梁の屋外側に配置するので、入隅部の縦目地において前述の請求項１と同様に、軸柱が無い部分においても極めて簡単に施工することができ、また、入隅部の縦目地から侵入した風雨が梁を構成するフランジ間の空間に入り込むことを防ぐことができる。さらに、外壁パネルの上方から施工することができないような場合にもこの入隅用水切り構造を用いることができる。さらにまた、縦目地にシーリング剤を注入するような場合にもその下地材として用いることができ、簡単に施工することができる。
【発明を実施するための最良の形態】
【００１１】
以下、図面を参照しつつ、この発明における水切り構造１、入隅用水切り構造２の最良の実施形態について説明する。これら水切り構造１及び入隅用水切り構造２は、住宅等の建物の外壁パネル３間の縦目地４から建物内部に風雨が侵入することを防ぐものであって、図１及び図２に示すように、建物の階間に設けられる胴差部ａや、建物の屋根と外壁の間に設けられる切軒下部ｂ、切妻部ｃ、破風部ｄ等のように外壁パネル３の屋内側に水平な梁５が外壁パネル３に沿って配置されている箇所の外壁パネル３と梁５との間に配置されるものである。
【００１２】
水切り構造１は、図１に示すように相互に隣接する２枚の外壁パネル３が同一平面上に並設される箇所であって、且つ、外壁パネル３の屋内側にＨ形鋼で形成された梁５の側部が配置される箇所の外壁パネル３間の縦目地４に配置されるものであって、この外壁パネル３の互いに相対する側端により形成される縦目地４と、その屋内側に配設されるＨ形鋼で形成された梁５の側部とを隔てることにより、縦目地４から風雨が建物内部に侵入することを防止する役割を果たすものである。
【００１３】
水切り構造１は、図３に示すように、矩形の金属板の一方の側端側が波打つように形成された湾曲部１１を形成する板部材１０と、この板部材１０の屋内側面に一端が例えば図示しないが溶接固定や螺子固定によって固定されて、他端がこの板部材１０の湾曲部１１から側方に突出する突出片１２とを備えている。この板部材１０の上下方向の長さは、建物の梁５として用いられるＨ形鋼の上下のフランジ５１の間の幅よりもやや大きく形成されている。
【００１４】
このような水切り構造１が固定される外壁パネル３は、図４に示すように、矩形板状のサイディング材３１の屋内側面の周縁に、断面コ字状の枠材３２の縦枠材３２ａが外壁パネル３の上下端側及び側端側を開口するように固定されてなるものである。また、外壁パネル３の屋内側に外壁パネル３に沿って水平に設置される梁５は、図４に示すように上下一対のフランジ５１をウェブ５２により連結したＨ形鋼により形成されるものであって、図２に示すように、建物の階間に設けられる胴差部ａや、建物の屋根と外壁の間に設けられる切軒下部ｂ、切妻部ｃ、破風部ｄ等に設けられている。
【００１５】
水切り構造１を隣接する２枚の外壁パネル３間の縦目地４に固定する際には、図５（Ａ）に示すように、一方側の外壁パネル３を図示しない建物の躯体に固定した後で、板部材１０の湾曲部１１と突出片１２とで一方側の外壁パネル３の枠材３２の縦枠材３２ａを挟み込むようにして固定し、水切り構造１を固定する。その後、図５（ｂ）に示すように、他方側の外壁パネル３を建物の躯体に固定する。
【００１６】
このように、水切り構造１は外壁パネルの側方から施工するものであるので、例えば図２の破風部ｄに示すように、梁５の設置位置が外壁パネル３の上下方向の中間部に位置する場合や窓Ｗの上側に設置される手組外壁パネル３ａのように上側の外壁パネル３を建物の躯体に固定した後に施工する場合のように、水切り構造１の施工位置の上側に外壁パネル３が既に施工されており、水切り構造１を上側から挿し込むことができないような場合でも、水切り構造１を施工することができる。
【００１７】
以上のようにして水切り構造１を設置すると、互いに隣接する２枚の外壁パネル３と、この外壁パネル３の屋内側に配置される梁５との間に水切り構造１を配置することができ、縦目地４から屋内に風雨が侵入することを防ぐことができる。そしてこのとき水切り構造１を構成する板部材１０は図６に示すように、梁５の屋外側を覆うように設置されるので、梁５の上下一対のフランジ５１の間に風雨が侵入することを防ぐことができる。
【００１８】
次に、図１、図７から図９を参照しつつ入隅用水切り構造２について説明する。入隅用水切り構造２は、図１に示すように、建物の入隅部に沿って外壁パネル３同士が直角に配置される外壁の入隅部の縦目地４に配置されるものであって、この入隅部の縦目地４と、その屋内側に配置されるＨ形鋼で形成された梁５の側部と、を隔てることにより、縦目地４を通って梁５の上下のフランジ間の空間に風雨などが侵入することを防止する役割を果たすものである。
【００１９】
この入隅用水切り構造２は、図７及び図８に示すように、一方の側端側に波打状の湾曲部２０を形成した矩形の金属板をその中間部を折り曲げて形成した折曲板部材２１と、この折曲板部材２１の屋内側面に、一端が例えば溶接固定や螺子固定などにより固定され、他端が湾曲部２０から側端方向に突出する突出片２２と、を備えてなるものである。この折曲板部材２１の上下方向の長さも図３に示す水切り構造１の板部材１０と同様に、建物の梁５として用いられるＨ形鋼の上下のフランジ５１間の幅よりもやや大きく構成されており、建物の梁５を覆ったときに、フランジ５１間の空間に風雨が侵入することを防ぐことができるように形成されている。
【００２０】
そして、入隅用水切り構造２を建物の入隅部における２枚の外壁パネル３間の縦目地４に固定する際には、一方の外壁パネル３を図示しない建物の躯体に固定した後、この一方の外壁パネル３の側端側から枠材３２の縦枠材３２ａを湾曲部２０と突出片２２とで挟み込むようにして、折曲板部材２１が入隅部に沿うように入隅用水切り構造２を設置する。その後他方の外壁パネル３を図示しない建物躯体に固定する。
【００２１】
以上のように入隅用水切り構造２は、外壁パネル３の側方から、挟み込むだけで簡単に外壁パネル３に固定することができるので、極めて簡単に施工することができる。また、梁５の側面を覆うように配置されるので、梁５のフランジ５１間の空間に風雨が入り込むことを効果的に防ぐことができる。さらに、縦目地４にシーリング剤を注入するような場合にもこの入隅用水切り構造２の折曲板部材２１を下地材とすることができるので容易に施工することができる。
【００２２】
また、入隅用水切り構造２も水切り構造１と同様に、外壁パネルの側方から施工するものであるので、入隅用水切り構造２の施工位置の上側に既に外壁パネル３が施工されており、入隅用水切り構造２を上側から挿し込むことができないような場合でも、入隅用水切り構造２を施工することができる。
【００２３】
なお、本発明の実施の形態は上述の形態に限ることなく、本発明の思想の範囲を逸脱しない範囲で適宜変更することができることは云うまでもない。
【産業上の利用可能性】
【００２４】
本発明に係る水切り構造１及び入隅用水切り構造２は、建物の胴差部等における縦目地からの風雨の侵入を防ぐ部材として好適に用いることができる。
【図面の簡単な説明】
【００２５】
【図１】水切り構造及び入隅用水切り構造を建物に設置する一例を示す省略断面図。
【図２】水切り構造を設置する建物の全体構成を説明する簡略正面図。
【図３】水切り構造の外観構成を説明する斜視図。
【図４】水切り構造を２枚の外壁パネル間の縦目地に設置した状態を示す斜視図。
【図５】水切り構造を外壁パネル間の縦目地に設置する工程を説明する簡略断面図。
【図６】水切り構造の設置位置の梁との関係を説明する断面図。
【図７】入隅用水切り構造の外観構成を説明する斜視図。
【図８】入隅用水切り構造を建物の入隅部に設置した状態を説明する斜視図。
【図９】入隅用水切り構造を建物の入隅部に設置する工程を説明する簡略断面図。
【図１０】従来の縦目地の防水構造を説明する図。
【符号の説明】
【００２６】
１      水切り構造
２      入隅用水切り構造
３      外壁パネル
４      縦目地
５      梁
１０    板部材
１１    湾曲部
１２    突出片
２０    湾曲部
２１    折曲板部材
２２    突出片
３１    サイディング材
３２    枠材
３２ａ  縦枠材
【図１】
2010047998.tif 000003
【図２】
2010047998.tif 000004
【図３】
2010047998.tif 000005
【図４】
2010047998.tif 000006
【図５】
2010047998.tif 000007
【図６】
2010047998.tif 000008
【図７】
2010047998.tif 000009
【図８】
2010047998.tif 000010
【図９】
2010047998.tif 000011
【図１０】
2010047998.tif 000012